(57)【要約】      （修正有）【課題】リモコン操作端末機のキーを誤って押せないようにし、また、キー操作したり邪魔板を着脱したりする際に、広告宣伝の効果の大きいカラオケのリモコン操作端末装置を提供する。【解決手段】キーボード１の上に邪魔板３を被せて、他人が誤って押せないようにしたり、邪魔板の人目に付きやすい部位に広告宣伝表示Ｃを設ける。キー２を操作したり邪魔板３を着脱したりする際に人目に付きやすい部位に広告宣伝表示Ｃを設けておいて、広告宣伝の効果の大きい構成としたので、遊びを目的としたカラオケ音楽を利用して広告宣伝も可能となり、一石二鳥である。また、キーボード１の上に邪魔板３を被せる構成に成っているので、邪魔板３を被せた状態では、他人が誤ってキー２を押したりすることはできず、歌っている最中に演奏が止まるような弊害を防止できる。【選択図】図１
0003212183.tif 000002
【実用新案登録請求の範囲】
【請求項１】
カラオケ装置で歌っている最中に、リモコン操作端末機の機能キーを誤って押すのを防止するために、キーボードの上に邪魔板を被せて、他人が誤ってキーを押せないようにしたことを特徴とするカラオケのリモコン操作端末装置。
【請求項２】
前記の邪魔板は、その一部がリモコン操作端末機と連結可能となっていることを特徴とする請求項１記載のカラオケのリモコン操作端末装置。
【請求項３】
前記の邪魔板は、リモコン操作端末機の端部の充電端子の部位を経由して裏面に至るようにＵ字状に形成し、前記リモコン操作端末機の表裏両面に着脱可能に取付け得る構成であることを特徴とする請求項１又は請求項２に記載のリモコン操作端末装置。
【請求項４】
キー操作したり邪魔板を着脱したりする際に邪魔板の人目に付きやすい部位に広告宣伝表示を設けておいて、広告宣伝の効果の大きい構成としたことを特徴とする請求項１、請求項２又は請求項３に記載のカラオケのリモコン操作端末機。
【考案の詳細な説明】
【技術分野】
【０００１】
カラオケ装置で気持ち良く歌っている最中に、「デンモク」（登録商標）と呼ばれているリモコン操作端末機の機能キーを誤ってキー操作したために、機器の演奏が停止したりする弊害が生じている。本考案は、このような誤操作を未然に防止すべく、操作を阻止する邪魔板を設けたカラオケリモコン操作端末装置に関する。
【背景技術】
【０００２】
カラオケ装置には、特許文献１のように、演奏曲を予約するための端末装置が装備されていて、演奏曲目を遠隔操作で予約可能になっている。ところが、他人が演奏曲に合わせて歌っている最中に、予約したりする機能キーを押したりする誤操作をすることがあり、そのために、気持ち良く歌っている最中の曲を止めたりする誤動作が後を絶たず、折角楽しんでいる雰囲気が台無しになってしまう。
【特許文献１】特公昭53-34360
【考案の概要】
【考案が解決しようとする課題】
【０００３】
本考案の技術的課題は、このような問題に着目し、リモコン操作端末機のキーを誤って押すのを防止するために、各種のキーが配列されたキーボードの上に邪魔板を被せて、他人が誤って押せないようにすることにある。また、キー操作したり邪魔板を着脱したりする際に、邪魔板の人目に付きやすい部位に広告宣伝手段を設けておいて、広告宣伝の効果の大きいカラオケのリモコン操作端末機を実現する。
【課題を解決するための手段】
【０００４】
本考案の技術的課題は次のような手段によって解決される。請求項１は、カラオケ装置で歌っている最中に、リモコン操作端末機の機能キーを誤って押すのを防止するために、キーボードの上に邪魔板を被せて、他人が誤ってキーを押せないようにしたことを特徴とするカラオケのリモコン操作端末装置である。
【０００５】
請求項２は、前記の邪魔板は、その一部がリモコン操作端末機と連結可能となっていることを特徴とする請求項１記載のカラオケのリモコン操作端末装置である。
【０００６】
請求項３は、前記の邪魔板は、リモコン操作端末機の端部の充電端子の部位を経由して裏面に至るようにＵ字状に形成し、前記リモコン操作端末機の表裏両面に着脱可能に取付け得る構成であることを特徴とする請求項１又は請求項２に記載のリモコン操作端末装置である。
【０００７】
請求項４は、キー操作したり邪魔板を着脱したりする際に邪魔板の人目に付きやすい部位に広告宣伝表示を設けておいて、広告宣伝の効果の大きい構成としたことを特徴とする請求項１、請求項２又は請求項３に記載のカラオケのリモコン操作端末機を実現する。
【考案の効果】
【０００８】
請求項１のように、キーボードの上に邪魔板を被せる構成に成っているので、前記邪魔板を被せた状態では、他人が誤ってキーを押したりすることはできず、歌っている最中に演奏が止まるような弊害を防止できる。
【０００９】
請求項２のように、前記の邪魔板は、その一部がリモコン操作端末機と連結可能となっているので、邪魔板の一部をリモコン操作端末機と連結した状態では、前記邪魔板を被せてキーを押せない状態にでき、邪魔板をキーボードから外しても、一部はリモコン操作端末機と連結されているので、直ちにキーボードの上に被せたりできる。
【００１０】
請求項３のように、前記の邪魔板は、リモコン操作端末機の端部の充電端子の部位を経由して裏面に至るようにＵ字状に形成し、前記リモコン操作端末機の表裏両面に着脱可能に取付け得る構成になっているので、邪魔板を確実に装着固定でき、邪魔板を取り外せば、充電端子が露出して充電可能な状態となる。
【００１１】
請求項４のように、キー操作したり邪魔板を着脱したりする際に人目に付きやすい部位に広告宣伝表示を設けておいて、広告宣伝の効果の大きい構成としたので、遊びを目的としたカラオケ音楽を利用して広告宣伝も可能となり、一石二鳥である。
【図面の簡単な説明】
【００１２】
【図１】本考案によるカラオケのリモコン操作端末機から広告宣伝が表示された邪魔板を取り外した状態の斜視図である。
【図２】広告宣伝が表示された邪魔板をキーボードに被せた状態の斜視図である。
【図３】リモコン操作端末機及び邪魔板を上下反転させた状態を上側から見た斜視図である。
【考案を実施するための形態】
【００１３】
次に、本考案のカラオケのリモコン操作端末機ｔに邪魔板３を設けた実施形態を説明する。図１は、リモコン操作端末機ｔから邪魔板３を取り外した状態の斜視図であり、キーボード１の各キー２…を押して選曲したりした後、予約操作して予約する。ところが、予約操作して歌っている最中に他人がキー２…を誤って押したりすることがある。このような操作ミスを防ぐために本考案は、邪魔板３をキーボード１に被せる構造を採用している。
【００１４】
図２は、前記のように、邪魔板３をキーボード１に被せた状態の斜視図であり、キーボード１や各キー２…は邪魔板３に隠れて見えないし、操作もできない。そのため、誤ってキー２…を押すことは出来ず、誤操作を未然に防げる。
キーボード１を邪魔板３で覆うだけで、キー２…の誤操作を防止するという目的は達成できるが、本考案はさらに、充電端子４も隠せる構造にした。すなわち、リモコン操作端末機ｔの端部の充電端子４の部位を経由して裏面に至るようにＵ字状に折り曲げ可能に形成し、Ｕ字状部５で充電端子４を覆う構造とした。従って、予期せぬアクシデントで充電端子４を損傷することは生じない。
【００１５】
図１は、操作端末機ｔから邪魔板３を取り外した状態を上側から見た斜視図であるのに対し、図３は上下反転させた状態を上側から見た斜視図である。前記のＵ字状部５を経由して、リモコン操作端末機ｔの裏面６に延ばし、この延長部７を裏面６に接合するマジックテープ（登録商標）ｍ′を接着剤などで取付けてある。
【００１６】
邪魔板３を端末機ｔに着脱するマジックテープＭ・Ｍは、端末機ｔの表面の左右に接着してあり、このマジックテープＭ・Ｍと着脱する邪魔板３側のマジックテープＭ′・Ｍ′は邪魔板３の裏面に接着してある。なお、端末機３の裏面には左右に長いマジックテープｍを接着し、邪魔板３と一体の延長部７の裏面には、左右に長いマジックテープｍ′を接着してある。
【００１７】
図示例では、面着脱テープであるマジックテープで邪魔板３を着脱しているが、磁石や両面デープで着脱したり、リモコン操作端末機ｔに形成した溝に邪魔板３の両端縁を挿入スライドしたり抜いたりもできる。
【００１８】
図１、図２は、広告宣伝表示Ｃをリモコン操作端末機の邪魔板３の表面に設けた実施例である。広告宣伝表示Ｃとは、広告宣伝したい内容を文字や図形などで邪魔板３の表面に表現したものであり、具体的には広告宣伝する内容で決まる。表現手法は、大量に表現する場合は印刷が適するが、刻印などの凹凸で表現してもよい。
【産業上の利用可能性】
【００１９】
以上のように、端末機ｔのキーボードに邪魔板３を被せて隠す構造であるため、他人が予約済みの場合に、誤ってキーを押したために、演奏中の画面が停止するといったアクシデントを未然に防止できる。なお、前記邪魔板の表面に広告宣伝を表示してあると、人目に付きやすい邪魔板を利用して広告宣伝も可能である。
【符号の説明】
【００２０】
ｔ  操作端末機
１  キーボード
２…  キー
３  邪魔板
４  充電端子
５  Ｕ字状部
６  裏面
７  延長部
ｍ′  マジックテープ
Ｍ  マジックテープ
Ｍ′  マジックテープ
ｍ  マジックテープ
Ｃ  広告宣伝表示
【図１】
0003212183.tif 000003
【図２】
0003212183.tif 000004
【図３】
0003212183.tif 000005
【手続補正書】
【提出日】平成29年6月28日(2017.6.28)
【手続補正１】
【補正対象書類名】実用新案登録請求の範囲
【補正対象項目名】全文
【補正方法】変更
【補正の内容】
【実用新案登録請求の範囲】
【請求項１】
カラオケ装置で歌っている最中に、リモコン操作端末機の機能キーを誤って押すのを防止するために、キーボードの上に邪魔板を被せて、他人が誤ってキーを押せないようにしたことを特徴とするカラオケのリモコン操作端末装置。
【請求項２】
前記の邪魔板は、その一部がリモコン操作端末機と連結可能となっていることを特徴とする請求項１記載のカラオケのリモコン操作端末装置。
【請求項３】
前記の邪魔板は、リモコン操作端末機の端部の充電端子の部位を経由して裏面に至るようにＵ字状に形成し、前記リモコン操作端末機の表裏両面に着脱可能に取付け得る構成であることを特徴とする請求項１又は請求項２に記載のカラオケのリモコン操作端末装置。
【請求項４】
キー操作したり邪魔板を着脱したりする際に邪魔板の人目に付きやすい部位に広告宣伝表示を設けておいて、広告宣伝の効果の大きい構成としたことを特徴とする請求項１、請求項２又は請求項３に記載のカラオケのリモコン操作端末装置。